(57)【要約】      （修正有）【課題】放射線画像撮影装置で動きのある被写体等を準動画として撮影し、放射線画像撮影装置で撮影した準動画を再生させることを可能とする放射線画像撮影システムを提供する。【解決手段】放射線画像撮影システム５０は、放射線画像撮影装置１と、放射線源５２を備える放射線発生装置５５と、画像データに基づいて放射線画像を生成するコンソール５８とを備え、放射線画像撮影装置１の制御手段は、一連の複数の放射線画像撮影が行われる際に、各回の放射線画像撮影ごとの時間間隔をそれぞれ計測し、当該一連の複数の放射線画像撮影で得られた各画像データをコンソール５８に送信する際に、各時間間隔の情報を対応する各画像データに対応付けて送信し、コンソール５８は、生成した各放射線画像に各時間間隔の情報をそれぞれ対応付ける。【選択図】図１１
2013000372.tif 000002
【特許請求の範囲】
【請求項１】
互いに交差するように配設された複数の走査線および複数の信号線と、前記複数の走査線および複数の信号線により区画された各小領域に二次元状に配列された複数の放射線検出素子とを備える検出部と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備える放射線画像撮影装置と、
前記放射線画像撮影装置に対して放射線を照射する放射線源を備える放射線発生装置と、
前記放射線画像撮影装置から送信されてきた前記画像データに基づいて放射線画像を生成するコンソールと、
を備え、
前記放射線画像撮影装置の前記制御手段は、一連の複数の放射線画像撮影が行われる際に、各回の放射線画像撮影ごとの時間間隔をそれぞれ計測し、当該一連の複数の放射線画像撮影で得られた前記各画像データを前記コンソールに送信する際に、前記各時間間隔の情報を対応する前記各画像データに対応付けて前記コンソールに送信し、
前記コンソールは、前記放射線画像撮影装置から送信されてきた前記画像データに基づいて生成した前記各放射線画像に、前記各画像データに対応付けられた前記各時間間隔の情報をそれぞれ対応付けることを特徴とする放射線画像撮影システム。
【請求項２】
前記放射線画像撮影装置の前記制御手段は、
前記放射線発生装置の前記放射線源から放射線が照射されている間は、前記走査駆動手段から前記各走査線にオフ電圧を印加して放射線の照射により発生した電荷を前記各放射線検出素子内に蓄積させる電荷蓄積状態に移行させ、その後、前記各放射線検出素子からの前記画像データの読み出し処理を行わせるように構成されており、
前記各回の放射線画像撮影ごとの時間間隔として、各回の放射線画像撮影において前記画像データの読み出し処理を開始した時点同士または前記画像データの読み出し処理を終了した時点同士の時間間隔、または、各回の放射線画像撮影において前記電荷蓄積状態に移行させた時点同士の時間間隔をそれぞれ計測することを特徴とする請求項１に記載の放射線画像撮影システム。
【請求項３】
前記放射線画像撮影装置の前記制御手段は、前記各時間間隔の情報を、対応する前記各画像データのヘッダ部分にそれぞれ書き込んで前記コンソールに送信し、
前記コンソールは、送信されてきた前記各画像データのヘッダ部分にそれぞれ書き込まれた前記時間間隔の情報を読み出し、読み出した前記各時間間隔の情報をそれぞれ生成した前記各放射線画像に対応付けることを特徴とする請求項１または請求項２に記載の放射線画像撮影システム。
【請求項４】
前記放射線画像撮影装置の前記制御手段は、前記各時間間隔の情報を、対応する前記各画像データの所定の画素部分に書き込んで前記コンソールに送信し、
前記コンソールは、送信されてきた前記各画像データの前記所定の画素部分にそれぞれ書き込まれた前記時間間隔の情報を読み取り、読み取った前記各時間間隔の情報をそれぞれ生成した前記各放射線画像に対応付けることを特徴とする請求項１または請求項２に記載の放射線画像撮影システム。
【請求項５】
前記放射線画像撮影装置の前記制御手段は、前記一連の複数の放射線画像撮影における各放射線画像撮影ごとに、
放射線画像撮影の前に、前記走査駆動手段から前記各走査線にオフ電圧を印加して前記各スイッチ手段をオフ状態とした状態で前記各スイッチ手段を介して前記各放射線検出素子からリークした前記電荷をリークデータに変換するリークデータの読み出し処理と、前記走査駆動手段から前記各走査線にオン電圧を順次印加して行う前記各放射線検出素子のリセット処理とを交互に行わせ、
読み出した前記リークデータが閾値を越えた時点で放射線の照射が開始されたことを検出すると、前記走査駆動手段から前記各走査線にオフ電圧を印加して放射線の照射により発生した電荷を前記各放射線検出素子内に蓄積させる電荷蓄積状態に移行した後、前記各放射線検出素子からの前記画像データの読み出し処理を行わせることを特徴とする請求項１から請求項４のいずれか一項に記載の放射線画像撮影システム。
【請求項６】
前記放射線画像撮影装置の前記制御手段は、前記一連の複数の放射線画像撮影における各放射線画像撮影ごとに、
放射線画像撮影前に、前記走査駆動手段から前記各走査線にオン電圧を順次印加して照射開始検出用の前記画像データの読み出し処理を行わせ、
読み出した前記画像データが閾値を越えた時点で放射線の照射が開始されたことを検出すると、前記走査駆動手段から前記各走査線にオフ電圧を印加して放射線の照射により発生した電荷を前記各放射線検出素子内に蓄積させる電荷蓄積状態に移行した後、前記各放射線検出素子からの本画像としての前記画像データの読み出し処理を行わせることを特徴とする請求項１から請求項４のいずれか一項に記載の放射線画像撮影システム。
【請求項７】
前記放射線画像撮影装置の前記制御手段は、前記一連の複数の放射線画像撮影が行われる際に、前記各回の放射線画像撮影ごとの時間間隔として、前記放射線画像撮影前のリークデータの読み出し処理または照射開始検出用の画像データの読み出し処理において放射線の照射が開始されたことを検出した時点同士の時間間隔をそれぞれ計測することを特徴とする請求項５または請求項６に記載の放射線画像撮影システム。
【請求項８】
前記放射線画像撮影装置の前記制御手段は、前記一連の複数の放射線画像撮影のうち、１回目の放射線画像撮影で読み出された前記画像データの中から所定の割合でデータを間引いた間引きデータを、プレビュー画像用のデータとして前記コンソールに送信し、
前記コンソールは、前記間引きデータに基づいて表示部上にプレビュー画像を表示し、当該プレビュー画像が否認された場合には、前記放射線画像撮影装置に、前記一連の複数の放射線画像撮影における一連の処理を停止させることを特徴とする請求項１から請求項７のいずれか一項に記載の放射線画像撮影システム。
【請求項９】
前記放射線画像撮影装置の前記制御手段は、個々の前記各放射線検出素子について、前記一連の複数の放射線画像撮影のうち、ある回の放射線画像撮影で読み出された前記画像データと次の回の放射線画像撮影で読み出された前記画像データとの差分をそれぞれ算出し、算出した前記各放射線検出素子ごとの前記各差分を可逆圧縮して前記コンソールに送信し、
前記コンソールは、前記放射線画像撮影装置から送信されてきた圧縮された前記各差分を伸長し、個々の前記各放射線検出素子について、復元したある回の放射線画像撮影での前記画像データに、伸長した前記差分を加算することで、次の回の放射線画像撮影での前記画像データを復元するようにして、前記一連の複数の放射線画像撮影で前記各放射線検出素子ごとに読み出された前記各画像データを復元することを特徴とする請求項１から請求項８のいずれか一項に記載の放射線画像撮影システム。
【請求項１０】
互いに交差するように配設された複数の走査線および複数の信号線と、前記複数の走査線および複数の信号線により区画された各小領域に二次元状に配列された複数の放射線検出素子とを備える検出部と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備え、
前記制御手段は、一連の複数の放射線画像撮影が行われる際に、各回の放射線画像撮影ごとの時間間隔をそれぞれ計測し、当該一連の複数の放射線画像撮影で得られた前記各画像データをコンソールに送信する際に、前記各時間間隔の情報を対応する前記各画像データに対応付けて前記コンソールに送信することを特徴とする放射線画像撮影装置。
【発明の詳細な説明】
【技術分野】
【０００１】
本発明は、放射線画像撮影システムおよび放射線画像撮影装置に係り、特に、放射線画像撮影装置でいわゆる準動画を撮影する放射線画像撮影システムおよびそれに用いられる放射線画像撮影装置に関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレーター等で可視光等の他の波長の電磁波に変換した後、変換され照射された電磁波のエネルギーに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台等と一体的に形成されていたが（例えば特許文献１参照）、近年、放射線検出素子等をハウジングに収納した可搬型の放射線画像撮影装置が開発され、実用化されている（例えば特許文献２、３参照）。
【０００４】
ところで、このような放射線画像撮影装置は、通常の場合、静止画像としての放射線画像を撮影するように構成されており、動画を撮影するようには構成されていない。しかし、このような放射線画像撮影装置を用いて医療における診断用の放射線画像を撮影する場合、例えば、呼吸により膨張したり収縮したりする肺等の呼吸器や、心臓の鼓動を含む血流等の動く臓器等を動画的に撮影したいという医療現場からの要望もある。トモシンセシス撮影のように１つの被写体を多方向から放射線を複数回連続して照射して撮影を行いたいという要望もある。
【０００５】
そこで、例えば特許文献４では、可搬型の放射線画像撮影装置の筐体内に、付加機能モジュールを着脱可能に接続できる構成とし、付加機能モジュールが接続されると、放射線画像撮影装置の撮影モードが静止画撮影から動画撮影に切り替わり、付加機能モジュールを外すと、撮影モードが動画撮影から静止画撮影に切り替わるような可搬型の放射線画像撮影装置の発明が開示されている。
【０００６】
そして、付加機能モジュールが接続されていない状態の放射線画像撮影装置では、動画撮影は困難であるが、接続される付加機能モジュールに、動画撮影に必要な種々の機能部を設けておくことにより、このような放射線画像撮影装置でも動画撮影を行うことができるようになっている。
【先行技術文献】
【特許文献】
【０００７】
【特許文献１】特開平９−７３１４４号公報
【特許文献２】特開２００６−０５８１２４号公報
【特許文献３】特開平６−３４２０９９号公報
【特許文献４】特開２００８−８３０３１号公報
【発明の概要】
【発明が解決しようとする課題】
【０００８】
ところで、医療現場では、可搬型の放射線画像撮影装置を、撮影室Ｒ１（後述する図１１参照）に既設のブッキー装置５１に装填して用いる場合もあるが、既設のブッキー装置５１は、従来のＣＲ（Computed Radiography）カセッテを装填するように構成されているものが少なくない。そして、ＣＲカセッテは、従来のスクリーンフィルム用のカセッテにおけるＪＩＳ規格サイズ（対応する国際規格はＩＥＣ  ６０４０６）に準拠して、少なくともその厚さが１５ｍｍ＋１ｍｍ〜１５ｍｍ−２ｍｍの範囲内になるように形成されていた。
【０００９】
そのため、可搬型の放射線画像撮影装置にも、このようなＣＲカセッテと同様に上記のＪＩＳ規格サイズに準拠した寸法で形成されることが要請される場合がある。しかし、このようなサイズの制約の中で、上記のように放射線画像撮影装置の筐体内に付加機能モジュールを収納できるように構成することは必ずしも容易ではない。
【００１０】
一方、上記のような可搬型の放射線画像撮影装置に限らず、一般に、放射線画像撮影装置で呼吸器の膨張・収縮や心臓の鼓動を含む血流等を動画的に撮影したりトモシンセシス撮影を行う場合、それらを通常の動画のように１秒間に３０フレームで撮影して肉眼的にはその動きが連続して見えるように撮影する必要は必ずしもなく、複数の静止画像が、例えば１秒間に数フレーム或いは数秒に１フレームの割合で、時系列的に間欠的に撮影される、いわゆる準動画として撮影されればよい場合も多い。
【００１１】
そして、この場合、医師等が、準動画として撮影された膨張・収縮する呼吸器等の複数の画像を再生表示する場合、準動画を構成する複数の静止画像を１枚ごと再生させる場合もあるが、複数の静止画像を、撮影した際の実際の時間間隔で再生して表示させることもある。そのため、各静止画像を撮影した際の各撮影間の各時間間隔の情報が、準動画を再生表示する画像表示装置に対して的確に伝達されることが必要となる。
【００１２】
この場合、放射線源５２（後述する図１１や図１２参照）から被写体を介して放射線画像撮影装置に放射線を照射したタイミングすなわち上記の時間間隔の情報を放射線発生装置５５から入手するように構成することも可能ではあるが、施設に既設の放射線発生装置５５は、放射線を照射するごとに前回放射線を照射してからの時間間隔を計測するように構成されていない場合も多い。
【００１３】
そのような場合に、放射線発生装置５５を改造して上記の時間間隔を計測するように構成するとコストがかかる等の問題が生じる場合がある。そこで、放射線発生装置５５ではなく、放射線画像撮影装置側で、上記の時間間隔を計測するように構成することが望ましい。
【００１４】
本発明は、上記の点を鑑みてなされたものであり、放射線画像撮影装置で動きのある被写体等を準動画として撮影し、放射線画像撮影装置で準動画を構成する複数の静止画像を撮影した各撮影ごとの時間間隔を計測可能な放射線画像撮影装置、および計測された時間間隔に基づいて一連の静止画像を準動画として再生させることを可能とする放射線画像撮影システムを提供することを目的とする。
【００１５】
また、その際、従来の静止画像のみを撮影する放射線画像撮影装置における制御構成や、放射線画像撮影装置からコンソール５８（後述する図１１や図１２参照）に画像データＤ等を送信する際のデータ構成等に大きな変更を加えることなく、上記の時間間隔の情報を送信することができるように構成すれば、放射線画像撮影装置やコンソール５８における処理に大きな変更を加えずに上記の目的を達成できるため望ましい。
【００１６】
そこで、本発明は、上記のように、放射線画像撮影装置で動きのある被写体を準動画として撮影する際、従来の静止画像のみを撮影する放射線画像撮影装置における制御構成や画像データ等をコンソールに送信する際のデータ構成等に大きな変更を加えることなく、上記の目的を達成することが可能な放射線画像撮影装置や放射線画像撮影システムを提供することをも目的とする。
【課題を解決するための手段】
【００１７】
前記の問題を解決するために、本発明の放射線画像撮影システムおよび放射線画像撮影装置は、
互いに交差するように配設された複数の走査線および複数の信号線と、前記複数の走査線および複数の信号線により区画された各小領域に二次元状に配列された複数の放射線検出素子とを備える検出部と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備える放射線画像撮影装置と、
前記放射線画像撮影装置に対して放射線を照射する放射線源を備える放射線発生装置と、
前記放射線画像撮影装置から送信されてきた前記画像データに基づいて放射線画像を生成するコンソールと、
を備え、
前記放射線画像撮影装置の前記制御手段は、一連の複数の放射線画像撮影が行われる際に、各回の放射線画像撮影ごとの時間間隔をそれぞれ計測し、当該一連の複数の放射線画像撮影で得られた前記各画像データを前記コンソールに送信する際に、前記各時間間隔の情報を対応する前記各画像データに対応付けて前記コンソールに送信し、
前記コンソールは、前記放射線画像撮影装置から送信されてきた前記画像データに基づいて生成した前記各放射線画像に、前記各画像データに対応付けられた前記各時間間隔の情報をそれぞれ対応付けることを特徴とする。
【発明の効果】
【００１８】
本発明のような方式の放射線画像撮影システムおよび放射線画像撮影装置によれば、従来の放射線画像撮影装置のように動画を撮影するための付加機能モジュールを筐体内に設けなくても、制御手段で一連の放射線画像における各回の放射線画像撮影ごとの時間間隔を計測するだけで、一連の撮影で得られた各放射線画像すなわち各静止画像を準動画的に表示する際の表示の時間間隔の情報を的確に取得することが可能となる。
【００１９】
そのため、従来の静止画像のみを撮影する放射線画像撮影装置を用いて、動きのある被写体等を的確に準動画として撮影することが可能となる。また、放射線発生装置側に、時間間隔を計測するような改造を施す必要がなくなり、放射線画像撮影装置側で時間間隔を計測することが可能となる。
【００２０】
また、コンソールで、各回の放射線画像撮影で得られた画像データ等に基づいて生成した各放射線画像すなわち各静止画像に時間間隔の情報をそれぞれ対応付けるため、一連の撮影で得られた各静止画像を準動画的に再生する画像表示装置は、各静止画像に対応付けられた時間間隔に従って各静止画像を再生することで、膨張したり収縮したりする肺等の臓器の動きを、放射線画像撮影装置が撮影した時間間隔で再生することが可能となる。そのため、一連の放射線画像撮影で得られた各静止画像を的確に準動画的に表示させることが可能となる。
【図面の簡単な説明】
【００２１】
【図１】本実施形態に係る放射線画像撮影装置の外観を示す斜視図である。
【図２】図１におけるＸ−Ｘ線に沿う断面図である。
【図３】ケーブルを接続した状態の放射線画像撮影装置の外観を示す斜視図である。
【図４】放射線画像撮影装置の基板の構成を示す平面図である。
【図５】図４の基板上の小領域に形成された放射線検出素子とＴＦＴ等の構成を示す拡大図である。
【図６】フレキシブル回路基板やＰＣＢ基板等が取り付けられた基板を説明する側面図である。
【図７】放射線画像撮影装置の等価回路を表すブロック図である。
【図８】検出部を構成する１画素分についての等価回路を表すブロック図である。
【図９】各放射線検出素子のリセット処理における電荷リセット用スイッチやＴＦＴのオン／オフのタイミングを表すタイミングチャートである。
【図１０】画像データの読み出し処理における電荷リセット用スイッチ、パルス信号、ＴＦＴのオン／オフのタイミングを表すタイミングチャートである。
【図１１】撮影室等に構築された本実施形態に係る放射線画像撮影システムの構成例を示す図である。
【図１２】回診車上に構築された本実施形態に係る放射線画像撮影システムの構成例を示す図である。
【図１３】１面分のリセット処理におけるタイミングチャートである。
【図１４】連携方式における照射開始信号の送信、リセット処理の終了および電荷蓄積状態への移行、インターロック解除信号の送信、および放射線の照射のタイミングを表すタイミングチャートである。
【図１５】連携方式における各走査線にオン電圧を順次印加するタイミングを表すタイミングチャートである。
【図１６】非連携方式の検出方法１において放射線画像撮影前に画像データの読み出し処理が繰り返し行われる際の各走査線にオン電圧を順次印加するタイミングを表すタイミングチャートである。
【図１７】検出方法１の場合に放射線の照射開始を検出した時点で画像データの読み出し処理を停止するように構成された場合の各走査線にオン電圧を順次印加するタイミングの例を表すタイミングチャートである。
【図１８】放射線画像撮影前から行われる読み出し処理で読み出される画像データを時系列的にプロットしたグラフである。
【図１９】ＴＦＴを介して各放射線検出素子からリークした各電荷がリークデータとして読み出されることを説明する図である。
【図２０】リークデータの読み出し処理における電荷リセット用スイッチやＴＦＴのオン／オフのタイミングを表すタイミングチャートである。
【図２１】放射線画像撮影前にリークデータの読み出し処理と各放射線検出素子のリセット処理を交互に行うように構成した場合の電荷リセット用スイッチ、パルス信号、ＴＦＴのオン／オフのタイミングを表すタイミングチャートである。
【図２２】検出方法２で放射線画像撮影前にリークデータの読み出し処理とリセット処理を交互に行い、電荷蓄積状態でリークデータの読み出し処理を行う場合に各走査線にオン電圧を印加するタイミングを説明するタイミングチャートである。
【図２３】一連の放射線画像撮影において放射線画像撮影装置で行われる処理の手順および各撮影ごとの時間間隔を説明する図である。
【図２４】各放射線検出素子から読み出された画像データを表す図である。
【図２５】画像データ中から抽出される間引きデータの例を表す図である。
【図２６】各回の放射線画像撮影で得られた各画像データの所定の画素部分に時間間隔の情報を書き込むことを説明する図である。
【図２７】画像データの出現頻度の分布の例を表すヒストグラムである。
【図２８】図２７とは別の撮影部位を撮影した場合の画像データの出現頻度の分布の例を表すヒストグラムである。
【図２９】画像データの出現頻度の分布について想定された正規分布状の分布の例を表すヒストグラムである。
【図３０】信号線方向等に隣接する放射線検出素子の画像データの各差分の出現頻度の分布を示すヒストグラムである。
【図３１】仮想的にまとめられたプレビュー画像用のデータを表す図である。
【図３２】同一の放射線検出素子について各回の撮影で得られた画像データＤの差分が算出されることを説明する図である。
【図３３】画像データの読み出し処理までの一連の処理シーケンスが繰り返されてオフセットデータの読み出し処理が行われることを説明するタイミングチャートである。
【発明を実施するための形態】
【００２２】
以下、本発明に係る放射線画像撮影システムおよび放射線画像撮影装置の実施の形態について、図面を参照して説明する。
【００２３】
なお、以下では、放射線画像撮影装置として、シンチレーター等を備え、放射された放射線を可視光等の他の波長の電磁波に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００２４】
また、本発明は、本実施形態で説明する、いわゆる可搬型の放射線画像撮影装置のみならず、例えば支持台等と一体的に形成された専用機型の放射線画像撮影装置に対しても適用することが可能である。
【００２５】
［放射線画像撮影装置］
図１は、本実施形態に係る放射線画像撮影装置の外観を示す斜視図であり、図２は、図１のＸ−Ｘ線に沿う断面図である。本実施形態では、放射線画像撮影装置１は、図１や図２に示すように、筐体状のハウジング２内にシンチレーター３や基板４等で構成されるセンサーパネルＳＰが収納されている。
【００２６】
本実施形態では、筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００２７】
また、筐体２の一方側の蓋部材２Ｂには、電源スイッチ３７や切替スイッチ３８、コネクター３９、バッテリー状態や放射線画像撮影装置１の稼働状態等を表示するＬＥＤ等で構成されたインジケーター４０等が配置されている。
【００２８】
図３に示すように、本実施形態では、コネクター３９には、ケーブルＣａの先端に設けられたコネクターＣが接続できるようになっている。そして、ケーブルＣａと接続されることにより、例えば後述するコンソール５８（図１１や図１２参照）との間で信号等を送受信したり、コンソール５８に画像データＤ等を送信することができるようになっている。
【００２９】
また、図示を省略するが、例えば筐体２の反対側の蓋部材２Ｃ等に、アンテナ装置４１（後述する図７参照）が例えば蓋部材２Ｃに埋め込む等して設けられている。このように、本実施形態では、コネクター３９やアンテナ装置４１が、放射線画像撮影装置１とコンソール５８等との間で信号を送受信し、コンソール５８に画像データＤ等を送信するための通信手段として機能するようになっている。
【００３０】
図２に示すように、筐体２の内部には、基台３１の上面側に図示しない鉛の薄板等を介して基板４が配置され、また、基台３１の下面側には、電子部品３２等が配設されたＰＣＢ基板３３やバッテリー２４等が取り付けられている。また、基板４やシンチレーター３の放射線入射面Ｒには、それらを保護するためのガラス基板３４が配設されている。また、本実施形態では、基台３１や基板４等と筐体２の側面との間に、それらがぶつかり合うことを防止するための緩衝材３５が設けられている。
【００３１】
シンチレーター３は、基板４の後述する検出部Ｐに対向する位置に設けられるようになっている。本実施形態では、シンチレーター３は、例えば、蛍光体を主成分とし、放射線の入射を受けると３００〜８００ｎｍの波長の電磁波、すなわち可視光を中心とした電磁波に変換して出力するものが用いられる。
【００３２】
基板４は、本実施形態では、ガラス基板で構成されており、図４に示すように、基板４のシンチレーター３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３３】
このように、走査線５と信号線６で区画された各小領域ｒに二次元状に配列された複数の放射線検出素子７が設けられた小領域ｒ全体、すなわち図４に一点鎖線で示される領域が検出部Ｐとされている。
【００３４】
本実施形態では、放射線検出素子７としてフォトダイオードが用いられているが、この他にも例えばフォトトランジスター等を用いることも可能である。各放射線検出素子７は、図４の拡大図である図５に示すように、スイッチ手段であるＴＦＴ８のソース電極８ｓに接続されている。また、ＴＦＴ８のドレイン電極８ｄは信号線６に接続されている。
【００３５】
放射線検出素子７は、放射線画像撮影装置１の筐体２の放射線入射面Ｒから放射線が入射し、シンチレーター３で放射線から変換された可視光等の電磁波が照射されると、その内部で電子正孔対を発生させる。放射線検出素子７は、このようにして、照射された放射線（本実施形態ではシンチレーター３で放射線から変換された電磁波）を電荷に変換するようになっている。
【００３６】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００３７】
本実施形態では、図５に示すように、それぞれ列状に配置された複数の放射線検出素子７に１本のバイアス線９が接続されており、図４に示すように、各バイアス線９はそれぞれ信号線６に平行に配設されている。また、各バイアス線９は、基板４の検出部Ｐの外側の位置で結線１０に結束されている。
【００３８】
本実施形態では、図４に示すように、各走査線５や各信号線６、バイアス線９の結線１０は、それぞれ基板４の端縁部付近に設けられた入出力端子（パッドともいう。）１１に接続されている。
【００３９】
そして、各入出力端子１１には、図６に示すように、後述する走査駆動手段１５のゲートドライバー１５ｂを構成するゲートＩＣ１５ｃ等のチップがフィルム上に組み込まれたフレキシブル回路基板（Chip On Film等ともいう。）１２が異方性導電接着フィルム（Anisotropic Conductive Film）や異方性導電ペースト（Anisotropic Conductive Paste）等の異方性導電性接着材料１３を介して接続されている。
【００４０】
フレキシブル回路基板１２は、基板４の裏面４ｂ側に引き回され、裏面４ｂ側で前述したＰＣＢ基板３３に接続されるようになっている。このようにして、放射線画像撮影装置１のセンサーパネルＳＰが形成されている。なお、図６では、電子部品３２等の図示が省略されている。
【００４１】
ここで、放射線画像撮影装置１の回路構成について説明する。図７は本実施形態に係る放射線画像撮影装置１の等価回路を表すブロック図であり、図８は検出部Ｐを構成する１画素分についての等価回路を表すブロック図である。
【００４２】
前述したように、基板４の検出部Ｐの各放射線検出素子７は、その第２電極７ｂにそれぞれバイアス線９が接続されており、各バイアス線９は結線１０に結束されてバイアス電源１４に接続されている。バイアス電源１４は、結線１０および各バイアス線９を介して各放射線検出素子７の第２電極７ｂにそれぞれバイアス電圧を印加するようになっている。また、バイアス電源１４は、後述する制御手段２２に接続されており、制御手段２２により、バイアス電源１４から各放射線検出素子７に印加するバイアス電圧が制御されるようになっている。
【００４３】
図７や図８に示すように、本実施形態では、バイアス電源１４からは、放射線検出素子７の第２電極７ｂにバイアス線９を介してバイアス電圧として放射線検出素子７の第１電極７ａ側にかかる電圧以下の電圧（すなわちいわゆる逆バイアス電圧）が印加されるようになっている。
【００４４】
走査駆動手段１５は、配線１５ｄを介してゲートドライバー１５ｂにオン電圧とオフ電圧を供給する電源回路１５ａと、走査線５の各ラインＬ１〜Ｌｘに印加する電圧をオン電圧とオフ電圧の間で切り替えて各ＴＦＴ８のオン状態とオフ状態とを切り替えるゲートドライバー１５ｂとを備えている。
【００４５】
図７や図８に示すように、各信号線６は、読み出しＩＣ１６内に内蔵された各読み出し回路１７にそれぞれ接続されている。読み出し回路１７は、増幅回路１８と相関二重サンプリング回路１９等で構成されている。読み出しＩＣ１６内には、さらに、アナログマルチプレクサー２１と、Ａ／Ｄ変換器２０とが設けられている。なお、図７や図８中では、相関二重サンプリング回路１９はＣＤＳと表記されている。また、図８中では、アナログマルチプレクサー２１は省略されている。
【００４６】
本実施形態では、増幅回路１８は、オペアンプ１８ａと、オペアンプ１８ａにそれぞれ並列にコンデンサー１８ｂおよび電荷リセット用スイッチ１８ｃが接続され、オペアンプ１８ａ等に電力を供給する電源供給部１８ｄを備えたチャージアンプ回路で構成されている。増幅回路１８のオペアンプ１８ａの入力側の反転入力端子には信号線６が接続されており、増幅回路１８の入力側の非反転入力端子には基準電位Ｖ０が印加されるようになっている。なお、基準電位Ｖ０は適宜の値に設定され、本実施形態では、例えば０［Ｖ］が印加されるようになっている。
【００４７】
また、増幅回路１８の電荷リセット用スイッチ１８ｃは、制御手段２２に接続されており、制御手段２２によりオン／オフが制御されるようになっている。また、オペアンプ１８ａと相関二重サンプリング回路１９との間には、電荷リセット用スイッチ１８ｃと連動して開閉するスイッチ１８ｅが設けられており、スイッチ１８ｅは、電荷リセット用スイッチ１８ｃがオン／オフ動作と連動してオフ／オン動作するようになっている。
【００４８】
放射線画像撮影装置１で、各放射線検出素子７内に残存する電荷を除去するための各放射線検出素子７のリセット処理を行う際には、図９に示すように、電荷リセット用スイッチ１８ｃがオン状態（およびスイッチ１８ｅがオフ状態）とされた状態で、各ＴＦＴ８がオン状態とされる。
【００４９】
すると、各ＴＦＴ８を介して各放射線検出素子７から電荷が信号線６に放出され、電荷が増幅回路１８の電荷リセット用スイッチ１８ｃを通過して、オペアンプ１８ａの出力端子側からオペアンプ１８ａ内を通り、非反転入力端子から出てアースされたり、電源供給部１８ｄに流れ出す。このようにして、各放射線検出素子７のリセット処理が行われるようになっている。
【００５０】
一方、各放射線検出素子７からの画像データＤの読み出し処理や、後述する照射開始検出用の画像データｄの読み出し処理の際には、図１０に示すように、増幅回路１８の電荷リセット用スイッチ１８ｃがオフ状態（およびスイッチ１８ｅがオン状態）とされた状態で、オン状態とされた各ＴＦＴ８を介して各放射線検出素子７から電荷が信号線６に放出されると、電荷が増幅回路１８のコンデンサー１８ｂに蓄積される。
【００５１】
増幅回路１８では、コンデンサー１８ｂに蓄積された電荷量に応じた電圧値がオペアンプ１８ａの出力側から出力されるようになっている。相関二重サンプリング回路（ＣＤＳ）１９は、各放射線検出素子７から電荷が流出する前に制御手段２２からパルス信号Ｓｐ１（図１０参照）が送信されると、その時点で増幅回路１８から出力されている電圧値Ｖinを保持する。
【００５２】
そして、各放射線検出素子７から流出した電荷が増幅回路１８のコンデンサー１８ｂに蓄積された後、制御手段２２からパルス信号Ｓｐ２が送信されると、その時点で増幅回路１８から出力されている電圧値Ｖfiを保持する。そして、電圧値の差分Ｖfi−Ｖinを算出し、算出した差分Ｖfi−Ｖinをアナログ値の画像データＤとして下流側に出力する。
【００５３】
相関二重サンプリング回路１９から出力された各放射線検出素子７の画像データＤは、アナログマルチプレクサー２１を介して順次Ａ／Ｄ変換器２０に送信され、Ａ／Ｄ変換器２０で順次デジタル値の画像データＤに変換されて記憶手段２３に出力されて順次保存されるようになっている。
【００５４】
なお、１回の画像データＤの読み出し処理が終了すると、増幅回路１８の電荷リセット用スイッチ１８ｃがオン状態とされ（図１０参照）、コンデンサー１８ｂに蓄積された電荷が放電されて、上記と同様に、放電された電荷がオペアンプ１８ａの出力端子側からオペアンプ１８ａ内を通り、非反転入力端子から出てアースされたり、電源供給部１８ｄに流れ出す等して、増幅回路１８がリセットされる。
【００５５】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００５６】
そして、制御手段２２は、放射線画像撮影装置１の各部材の動作等を制御するようになっている。また、図７等に示すように、制御手段２２には、ＳＲＡＭ（Static ＲＡＭ）やＳＤＲＡＭ（Synchronous ＤＲＡＭ）等で構成される記憶手段２３が接続されている。
【００５７】
また、本実施形態では、制御手段２２には、前述したアンテナ装置４１が接続されており、さらに、検出部Ｐや走査駆動手段１５、読み出し回路１７、記憶手段２３、バイアス電源１４等の各部材に電力を供給するためのバッテリー２４が接続されている。また、バッテリー２４は、前述したコネクター３９に接続されており、バッテリー２４の充電の際にはコネクター３９を介して図示しない充電装置から電力が供給されるようになっている。
【００５８】
前述したように、制御手段２２は、バイアス電源１４を制御してバイアス電源１４から各放射線検出素子７に印加するバイアス電圧を設定したり可変させたりするなど、放射線画像撮影装置１の各機能部の動作を制御するようになっている。
【００５９】
［放射線画像撮影システム］
次に、本実施形態に係る放射線画像撮影システム５０について説明する。図１１は、本実施形態に係る放射線画像撮影システム５０の構成例を示す図である。図１１では、放射線画像撮影システム５０が撮影室Ｒ１内等に構築されている場合が示されている。
【００６０】
撮影室Ｒ１には、ブッキー装置５１が設置されており、ブッキー装置５１は、そのカセッテ保持部（カセッテホルダともいう。）５１ａに上記の放射線画像撮影装置１を装填して用いることができるようになっている。なお、図１１では、ブッキー装置５１として、立位撮影用のブッキー装置５１Ａと臥位撮影用のブッキー装置５１Ｂが設置されている場合が示されているが、例えば、立位撮影用のブッキー装置５１Ａのみ、或いは、臥位撮影用のブッキー装置５１Ｂのみが設けられていてもよい。
【００６１】
本実施形態では、図３に示したように、放射線画像撮影装置１のコネクター３９と、ケーブルＣａの先端に設けられたコネクターＣとが接続された状態で、放射線画像撮影装置１をブッキー装置５１に装填することができるようになっている。なお、ブッキー装置５１のカセッテ保持部５１ａ内にコネクターＣを設けておき、放射線画像撮影装置１が装填されると自動的にコネクター３９とコネクターＣとが接続されるように構成することも可能であり、適宜に構成される。
【００６２】
図１１に示すように、撮影室Ｒ１には、被写体を介してブッキー装置５１に装填された放射線画像撮影装置１に放射線を照射する放射線源５２Ａが少なくとも１つ設けられている。本実施形態では、放射線源５２Ａの位置を移動させたり、放射線の照射方向を変えることで、立位撮影用のブッキー装置５１Ａと臥位撮影用のブッキー装置５１Ｂのいずれにも放射線を照射することができるようになっている。
【００６３】
撮影室Ｒ１には、撮影室Ｒ１内の各装置等や撮影室Ｒ１外の各装置等の間の通信等を中継するための中継器（基地局等ともいう。）５４が設けられている。なお、本実施形態では、中継器５４には、放射線画像撮影装置１が無線方式で画像データＤや信号等の送受信を行うことができるように、無線アンテナ（アクセスポイントともいう。）５３が設けられている。
【００６４】
また、中継器５４は、放射線発生装置５５やコンソール５８と接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。
【００６５】
前室（操作室ともいう。）Ｒ２には、本実施形態では、放射線発生装置５５の操作卓５７が設けられており、操作卓５７には、放射線技師等の操作者が操作して放射線発生装置５５に対して放射線の照射開始等を指示するための曝射スイッチ５６が設けられている。
【００６６】
放射線発生装置５５は、放射線源５２を所定の位置に移動させたり、その放射方向を調整したり、放射線画像撮影装置１の所定の領域内に放射線が照射されるように図示しない絞りやコリメーター等を調整したり、或いは、適切な線量の放射線が照射されるように放射線源５２を調整する等の種々の制御を行うようになっている。
【００６７】
また、本実施形態では、放射線発生装置５５は、放射線の照射開始から、設定された時間が経過した時点で、放射線源５２からの放射線の照射を終了させるようになっている。
【００６８】
図１１に示すように、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、コンソール５８の設置場所は適宜決められる。
【００６９】
また、コンソール５８には、ＣＲＴ（Cathode Ray Tube）やＬＣＤ（Liquid Crystal Display）等を備えて構成される表示部５８ａが設けられており、また、ＨＤＤ（Hard  Disk Drive）等で構成された記憶手段５９が接続、或いは内蔵されている。
【００７０】
本実施形態では、コンソール５８は、後述するように、放射線画像撮影装置１から間引きデータＤｔが送信されてくると、それに基づいて表示部５８ａ上にプレビュー画像ｐ_preを表示するようになっている。
【００７１】
また、コンソール５８は、後述するように、放射線画像撮影装置１から画像データＤ等が送信されてくると、画像データＤ等に基づいて放射線画像ｐを生成するようになっている。
【００７２】
一方、放射線画像撮影装置１は、図１２に示すように、ブッキー装置５１には装填されずに、いわば単独の状態で用いることもできるようになっている。例えば、患者Ｈが病室Ｒ３のベッドＢから起き上がれず、撮影室Ｒ１に行くことができないような場合、図１２に示すように、放射線画像撮影装置１を病室Ｒ３内に持ち込み、ベッドＢと患者の身体との間に差し込んだり患者の身体にあてがったりして用いることができる。
【００７３】
放射線画像撮影装置１をこのようにして用いる場合、例えば図３に示したように、放射線画像撮影装置１のコネクター３９にケーブルＣを接続して用いると、ケーブルＣが放射線技師の作業の邪魔になる場合が多いため、本実施形態では、放射線画像撮影装置１を単独の状態で用いる場合には、コネクター３９にケーブルＣを接続せずに使用される。
【００７４】
また、放射線画像撮影装置１を病室Ｒ３等で用いる場合、前述した撮影室Ｒ１に据え付けられた放射線発生装置５５や放射線源５２Ａを病室Ｒ３に持ち込むことができないため、図１２に示すように、いわゆるポータブルの放射線発生装置５５が例えば回診車７１に搭載される等して病室Ｒ３に持ち込まれる。
【００７５】
この場合、ポータブルの放射線発生装置５５の放射線５２Ｐは、任意の方向に放射線を照射できるように構成される。そして、ベッドＢと患者の身体との間に差し込まれたり患者の身体にあてがわれたりした放射線画像撮影装置１に対して、適切な距離や方向から放射線を照射することができるようになっている。
【００７６】
なお、図１１に示したように、放射線画像撮影装置１を、撮影室Ｒ１の臥位撮影用のブッキー装置５１Ｂ上に横臥した患者の身体と臥位撮影用のブッキー装置５１Ｂとの間に差し込んだり、臥位撮影用のブッキー装置５１Ｂ上で患者の身体にあてがったりして用いることも可能であり、その場合は、ポータブルの放射線５２Ｐや、撮影室Ｒ１に据え付けられた放射線源５２Ａのいずれを用いることも可能である。
【００７７】
また、図１２に示した回診車７１上に構築された放射線画像撮影システム５０の場合、コンソール５８では、後述する表示部５８ａ上でのプレビュー画像ｐ_preの表示処理までを行い、最終的な放射線画像ｐの生成等については生成処理機能を有する別のコンソール５８で行うように構成することも可能である。
【００７８】
［放射線画像撮影装置における画像データＤの読み出し処理までの処理について］
ここで、放射線画像撮影システム５０において、放射線画像撮影装置１に対して放射線が照射され、各放射線検出素子７からそれぞれ画像データＤが読み出されるまでの放射線画像撮影装置１や放射線発生装置５０等における処理について説明する。
【００７９】
図１１に示したように、放射線画像撮影システム５０が撮影室Ｒ１内等に構築されているような場合には、放射線画像撮影装置１と放射線発生装置５５とが中継器５４を介して信号のやり取りを行い、放射線画像撮影装置１と放射線発生装置５５と連携をとりながら放射線画像撮影を行うことができる。以下、このような撮影方式を連携方式という。
【００８０】
また、図１２に示したように、放射線画像撮影システム５０が回診車７１上に構築されている場合のように、放射線画像撮影装置１と放射線発生装置５５とが信号のやり取りを行うことができないような場合には、放射線画像撮影装置１自体で放射線が照射されたことを検出することが必要となる。以下、このような撮影方式を非連携方式という。
【００８１】
そして、本実施形態では、放射線画像撮影装置１は、状況に応じて、連携方式と非連携方式のいずれの方式でも放射線画像撮影を行うことができるようになっているが、連携方式或いは非連携方式のいずれかの方式でしか放射線画像撮影を行うことができない放射線画像撮影装置についても、本発明を適用することが可能である。
【００８２】
［連携方式の場合の処理について］
本実施形態では、放射線画像撮影が連携方式で行われる場合、放射線画像撮影装置１の制御手段２２は、放射線画像撮影前に、まず、各放射線検出素子７のリセット処理を行うようになっている。各放射線検出素子７のリセット処理では、図９に示した処理が走査線５の各ラインＬ１〜Ｌｘについてそれぞれ行われる。
【００８３】
具体的には、放射線画像撮影装置１の制御手段２２は、例えば図１３に示すように、走査駆動手段１５のゲートドライバー１５ｂ（図７参照）から走査線５の各ラインＬ１〜Ｌｘに対してオン電圧を順次印加させ、各ＴＦＴ８のゲート電極８ｇにオン電圧を順次印加させてＴＦＴ８をオン状態として、各放射線検出素子７内に残存する電荷をそれぞれ信号線６に放出させる。
【００８４】
制御手段２２は、このようにして、走査線５の最初のラインＬ１から最終ラインＬｘまで順次オン電圧を印加して行う１面分のリセット処理Ｒｍを繰り返すようになっている。
【００８５】
この場合、１面分のリセット処理Ｒｍを所定の回数だけ繰り返した時点で、各放射線検出素子７のリセット処理を終了し、その後は、走査線５の全てのラインＬ１〜Ｌｘにオフ電圧を印加し、全ＴＦＴ８をオフ状態とした状態で、放射線の照射開始を待つように構成することも可能である。
【００８６】
また、このように全ＴＦＴ８をオフ状態としたまま放射線の照射開始を待つ場合、放射線の照射が開始されるまでの時間が長くなると、各放射線検出素子７内に蓄積される暗電荷の量が多くなってしまう。そこで、暗電荷等の各放射線検出素子７に残存する電荷がより少ない状態で撮影を行うという観点から、放射線の照射開始の直前まで各放射線検出素子７のリセット処理を繰り返すように構成することも可能である。
【００８７】
この場合、例えば図１４に示すように、１面分のリセット処理Ｒｍの最中に、放射線技師により放射線発生装置５５で曝射スイッチ５６（図１１や図１２参照）が操作されて、放射線発生装置５５から放射線画像撮影装置１に照射開始信号が送信されてくると、放射線画像撮影装置１の制御手段２２は、照射開始信号が送信されてきた時点で行っている１面分のリセット処理Ｒｍが完了した時点で、各放射線検出素子７のリセット処理を終了させる。
【００８８】
そして、走査駆動手段１５から走査線５の全てのラインＬ１〜Ｌｘにオフ電圧を印加させて全ＴＦＴ８をオフ状態として、放射線の照射により各放射線検出素子７内で発生した電荷を各放射線検出素子７内に蓄積させる電荷蓄積状態に移行させる。
【００８９】
制御手段２２は、それと同時に、上記のように１面分のリセット処理Ｒｍが完了した時点で、放射線発生装置５５に対してインターロック解除信号を送信する。放射線発生装置５５は、中継器５４を介して放射線画像撮影装置１からインターロック解除信号を受信すると、放射線源５２から放射線を照射させる。
【００９０】
連携方式では、放射線画像撮影装置１と放射線発生装置５５との間で照射開始信号やインターロック解除信号等のやり取りを行いながら、放射線画像撮影装置１に対して放射線が照射されるようになっている。
【００９１】
また、放射線画像撮影装置１の制御手段２２は、上記のようにインターロック解除信号を送信すると、所定時間の間、電荷蓄積状態を維持する。そして、所定時間が経過した後、図１５に示すように、走査線５の各ラインＬ１〜Ｌｘにオン電圧を順次印加して、各放射線検出素子７から画像データＤをそれぞれ読み出すようになっている。なお、図１５中の斜線は、その期間に放射線が照射されたことを表す。
【００９２】
なお、この場合、放射線源５２からの放射線の照射を終了した時点で、放射線発生装置５５から放射線画像撮影装置１に終了信号を送信するように構成し、放射線画像撮影装置１は、終了信号を受信するとすぐに電荷蓄積状態から画像データＤの読み出し処理に移行するように構成することも可能である。
【００９３】
［非連携方式の場合の処理について］
次に、放射線画像撮影が非連携方式で行われる場合の処理について説明する。この場合、前述したように、放射線画像撮影装置１と放射線発生装置５５との間で信号のやり取りが行われないため、放射線画像撮影装置１自体で放射線が照射されたことを検出することが必要となる。
【００９４】
この場合、放射線画像撮影装置１内に新たに放射線の照射開始を検出するためのセンサーや手段を設けることも可能である。しかし、前述したように、放射線画像撮影装置１における筐体２のサイズの制約や、従来の静止画像のみを撮影する放射線画像撮影装置１の構成等に大きな変更を加えないことを考えた場合、放射線画像撮影装置１に既設の各機能部を用いて、例えば以下のようにして放射線画像撮影装置１自体で放射線の照射開始を検出するように構成することができる。
【００９５】
以下、放射線画像撮影装置１に既設の各機能部を用いて放射線画像撮影装置１自体で放射線の照射を検出する方法として、２つの検出方法を例に挙げて説明する。
【００９６】
［検出方法１］
例えば、上記の連携方式の場合のように、放射線画像撮影前に各放射線検出素子７のリセット処理（図１３等参照）を行う代わりに、図１６に示すように、放射線画像撮影前に、走査駆動手段１５のゲートドライバー１５ｂから走査線５の各ラインＬ１〜Ｌｘにオン電圧を順次印加して、各放射線検出素子７からの画像データｄの読み出し処理を繰り返し行うように構成することが可能である。
【００９７】
なお、撮影直後に読み出される本画像としての画像データＤと区別して、以下、この放射線画像撮影前の読み出し処理で読み出される画像データを照射開始検出用の画像データｄという。また、本画像としての画像データＤを、単に本画像データＤという。
【００９８】
また、照射開始検出用の画像データｄの読み出し処理における読み出し回路１７の増幅回路１８の電荷リセット用スイッチ１８ｃのオン／オフや、相関二重サンプリング回路１９へのパルス信号Ｓｐ１、Ｓｐ２の送信等は、図１０に示した本画像データＤの読み出し処理における処理と同様に行われる。
【００９９】
このように放射線画像撮影前に照射開始検出用の画像データｄの読み出し処理を行うように構成した場合、図１７に示すように、放射線画像撮影装置１に対する放射線の照射が開始されると、その時点で読み出された画像データｄ（図１７では走査線５のラインＬｎにオン電圧が印加されて読み出された画像データｄ）が、図１８に示すように、それ以前に読み出された画像データｄよりも格段に大きな値になる（図１８の時刻ｔ１参照）。
【０１００】
そこで、制御手段２２で放射線画像撮影前の読み出し処理で読み出された照射開始検出用の画像データｄを監視するように構成し、読み出された画像データｄが、例えば図１８に示すように予め設定された所定の閾値ｄthを越えた時点で、放射線の照射が開始されたことを検出するように構成することができる。
【０１０１】
そして、制御手段２２は、上記のようにして放射線の照射が開始されたことを検出すると、図１７に示したように、その時点で各走査線５へのオン電圧の印加を停止して、ゲートドライバー１５ｂから走査線５の全てのラインＬ１〜Ｌｘにオフ電圧を印加させ、各ＴＦＴ８をオフ状態にして、放射線の照射により各放射線検出素子７内で発生した電荷を各放射線検出素子７内に蓄積させる電荷蓄積状態に移行させる。
【０１０２】
そして、放射線の照射開始を検出してから所定時間が経過した後、制御手段２２は、放射線画像撮影前の画像データｄの読み出し処理で放射線の照射が開始されたことを検出した時点またはその直前にオン電圧が印加された走査線５（図１７の場合は走査線５のラインＬｎ）の次にオン電圧を印加すべき走査線５（図１７の場合は走査線５のラインＬn+1）からオン電圧の印加を開始し、各走査線５にオン電圧を順次印加させて、本画像データＤの読み出し処理を行うように構成される。
【０１０３】
なお、本画像データＤの読み出し処理を、例えば走査線５の最初のラインＬ１等からオン電圧の印加を開始して行うように構成することも可能である。
【０１０４】
また、上記の検出方法１における放射線画像撮影前の照射開始検出用の画像データｄの読み出し処理において、走査線５の各ラインＬ１〜Ｌｘにそれぞれオン電圧を印加する時間、すなわちある走査線５に対してオン電圧の印加を開始してから印加する電圧をオフ電圧に切り替えるまでの時間を長くする等して、照射開始検出用の画像データｄの検出感度を上げる等の改良を適宜行うことが可能である。
【０１０５】
［検出方法２］
また、上記の検出方法１のように、放射線画像撮影前に照射開始検出用の画像データｄの読み出し処理を行うように構成する代わりに、放射線画像撮影前に、リークデータｄleakの読み出し処理を繰り返し行うように構成することも可能である。
【０１０６】
ここで、リークデータｄleakとは、図１９に示すように、各走査線５にオフ電圧を印加した状態で、オフ状態になっている各ＴＦＴ８を介して各放射線検出素子７からリークする電荷ｑの信号線６ごとの合計値に相当するデータである。
【０１０７】
そして、リークデータｄleakの読み出し処理では、図２０に示すように、走査線５の各ラインＬ１〜Ｌｘにオフ電圧を印加して各ＴＦＴ８をオフ状態とした状態で、制御手段２２から各読み出し回路１７の相関二重サンプリング回路１９（図７、８のＣＤＳ参照）にパルス信号Ｓｐ１、Ｓｐ２を送信する。
【０１０８】
照射開始検出用の画像データｄの読み出し処理の場合と同様に、相関二重サンプリング回路１９は、制御手段２２からパルス信号Ｓｐ１が送信されると、その時点で増幅回路１８から出力されている電圧値Ｖinを保持する。そして、増幅回路１８のコンデンサー１８ｂに各ＴＦＴ８を介して各放射線検出素子７からリークする電荷ｑが蓄積されて増幅回路１８から出力される電圧値が上昇し、制御手段２２からパルス信号Ｓｐ２が送信されると、相関二重サンプリング回路１９は、その時点で増幅回路１８から出力されている電圧値Ｖfiを保持する。
【０１０９】
そして、相関二重サンプリング回路１９が電圧値の差分Ｖfi−Ｖinを算出して出力した値が、リークデータｄleakとなる。リークデータｄleakが、その後、Ａ／Ｄ変換器２０でデジタル値に変換されることは、画像データｄの場合と同様である。
【０１１０】
ところで、リークデータｄleakの読み出し処理のみを繰り返し行うように構成すると、各ＴＦＴ８がオフ状態のままとなってしまい、各放射線検出素子７内で発生した暗電荷が各放射線検出素子７内に蓄積され続ける状態になる。
【０１１１】
そこで、上記のように、放射線画像撮影前に、リークデータｄleakの読み出し処理を繰り返し行うように構成する場合には、図２１に示すように、各走査線５にオフ電圧を印加した状態で行うリークデータｄleakの読み出し処理と、走査線５の各ラインＬ１〜Ｌｘにオン電圧を順次印加して行う各放射線検出素子７のリセット処理とを交互に繰り返し行うように構成することが望ましい。
【０１１２】
このように放射線画像撮影前にリークデータｄleakの読み出し処理と各放射線検出素子７のリセット処理とを交互に繰り返して行うように構成した場合、放射線画像撮影装置１に対する放射線の照射が開始されると、各ＴＦＴ８を介して各放射線検出素子７からリークする電荷ｑ（図１９参照）がそれぞれ増加する。
【０１１３】
そのため、図２２に示すように、その時点で読み出されたリークデータｄleak（図２２では走査線５のラインＬ４にオン電圧が印加されてリセット処理が行われた後の４回目の読み出し処理で読み出されたリークデータｄleak）が、図示を省略するが、画像データｄの場合の図１８と同様に、それ以前に読み出されたリークデータｄleakよりも大きな値になる。なお、図２２において「Ｒ」は各放射線検出素子７のリセット処理を表し、「Ｌ」はリークデータｄleakの読み出し処理を表す。
【０１１４】
そこで、制御手段２２で放射線画像撮影前のリークデータｄleakの読み出し処理で読み出されたリークデータｄleakを監視するように構成し、読み出されたリークデータｄleakが、例えば予め設定された所定の閾値ｄleak_thを越えた時点で、放射線の照射が開始されたことを検出するように構成することができる。
【０１１５】
そして、この場合、制御手段２２は、上記のようにして、放射線の照射が開始されたことを検出すると、図２２に示したように、その時点で各走査線５へのオン電圧の印加を停止して、ゲートドライバー１５ｂから走査線５の全てのラインＬ１〜Ｌｘにオフ電圧を印加させ、各ＴＦＴ８をオフ状態にして、放射線の照射により各放射線検出素子７内で発生した電荷を各放射線検出素子７内に蓄積させる電荷蓄積状態に移行させる。
【０１１６】
そして、放射線の照射開始を検出してから所定時間が経過した後、制御手段２２は、放射線画像撮影前の画像データｄの読み出し処理で放射線の照射が開始されたことを検出した時点またはその直前にオン電圧が印加された走査線５（図２２の場合は走査線５のラインＬ４）の次にオン電圧を印加すべき走査線５（図２２の場合は走査線５のラインＬ５）からオン電圧の印加を開始し、各走査線５にオン電圧を順次印加させて、本画像データＤの読み出し処理を行うように構成される。
【０１１７】
なお、図２２に示した場合においても、本画像データＤの読み出し処理を、例えば走査線５の最初のラインＬ１等からオン電圧の印加を開始して行うように構成することが可能である。
【０１１８】
また、上記の検出方法２におけるリークデータｄleakの読み出し処理において、相関二重サンプリング回路１９に送信するパルス信号Ｓｐ１、Ｓｐ２の送信間隔を長くする等して、リークデータｄleakの検出感度を上げる等の改良を適宜行うことが可能である。
【０１１９】
［一連の複数の放射線画像撮影における放射線画像撮影装置での処理について］
次に、上記のようにして静止画像（すなわち個々の放射線画像ｐ。以下同じ。）を撮影する放射線画像撮影装置１の構成の下で、前述した呼吸器の膨張や収縮のように動きがある臓器等に対して一連の複数の放射線画像撮影を行い、準動画的に撮影する場合の放射線画像撮影装置１における処理について説明する。また、以下、本実施形態に係る放射線画像撮影装置１や放射線画像撮影システム５０の作用についてもあわせて説明する。
【０１２０】
一連の複数の放射線画像撮影を準動画的に行う場合、本実施形態では、コンソール５８（図１１や図１２参照）から放射線画像撮影装置１に対して、撮影が連続的（すなわち準動画的）に行われる旨を表す信号と放射線の照射回数の情報とが送信されるようになっている。なお、コンソール５８から撮影が連続的に行われる旨を表す信号のみを送信し、一連の撮影が終了した時点で、コンソール５８から放射線画像撮影装置１に撮影が終了した旨を表す信号を送信するように構成することも可能である。
【０１２１】
放射線画像撮影装置１は、単独の撮影の場合、上記のようにして本画像データＤの読み出し処理を終えると、即座に後述するオフセットデータＯの読み出し処理を行うモードに入るようになっているが、上記のように撮影が連続的に行われることを表す信号等を受信した場合には、撮影後、即座にオフセットデータＯの読み出し処理を行わず、以下のように処理を行うようになっている。
【０１２２】
すなわち、図２３に示すように、放射線画像撮影装置１では、上記の連携方式の場合には放射線画像撮影前に各放射線検出素子７のリセット処理を行い、上記の非連携方式の場合には放射線画像撮影前に照射開始検出用の画像データｄやリークデータｄleakの読み出し処理を行う。そして、１回目の放射線の照射が開始されると電荷蓄積状態に移行し、その後、本画像データＤの読み出し処理を行う。
【０１２３】
そして、本画像データＤの読み出し処理を終了すると、後述するオフセットデータＯの読み出し処理を行わずに、各放射線検出素子７のリセット処理（連携方式の場合）や照射開始検出用の画像データｄやリークデータｄleakの読み出し処理（非連携方式の場合）を再開する。そして、２回目の放射線の照射が行われると、電荷蓄積状態を経て２回目の本画像データＤの読み出し処理が行われる。
【０１２４】
このようにして、各回の撮影ごとに、連携方式の場合には各放射線検出素子７のリセット処理→電荷蓄積状態→本画像データＤの読み出し処理の各処理が、また、非連携方式の場合には画像データｄまたはリークデータｄleakの読み出し処理→電荷蓄積状態→本画像データＤの読み出し処理の各処理が、所定回数の放射線照射が終了するまで連続して行われる。
【０１２５】
そして、本実施形態では、一連の複数の放射線画像撮影が終了した後で、各回の撮影で得られた本画像データＤが、放射線画像撮影装置１からコンソール５８に送信されるようになっている。
【０１２６】
なお、本画像データＤを、各回の撮影終了後ごとにコンソール５８に送信するように構成することも可能である。この点については後で説明する。また、その際、後述するように、本実施形態では本画像データＤは可逆的に圧縮されて送信されるが、圧縮の仕方等についても後で説明する。
【０１２７】
さらに、本実施形態では、１回目の撮影後にプレビュー画像用のデータが送信され、また、一連の放射線画像撮影後にオフセットデータＯの読み出し処理が行われるが、これらの点についても後で説明する。
【０１２８】
一方、一連の撮影で得られた各静止画像を、画像表示装置（或いはコンソール５８の表示部５８ａ）上に準動画として再生するためには、放射線画像撮影装置１で各静止画像を撮影した際の各回の放射線画像撮影ごとの実際の時間間隔ΔＴを的確に計測することが必要となる。
【０１２９】
そして、本実施形態では、前述した特許文献４に記載されている付加機能モジュール等の新たな手段や装置を放射線画像撮影装置１内に設けることはせず、放射線画像撮影装置１に既設の機能部、すなわち具体的には制御手段２２を用いて、各経過時間を計測するようになっている。
【０１３０】
その際、各回の放射線画像撮影ごとの時間間隔ΔＴを計測するために、各撮影ごとの基準となる時点を設定することが必要となる。そこで、例えば、上記のように撮影が連携方式で行われる場合には、放射線画像撮影装置１から放射線発生装置５５にインターロック解除信号を送信して電荷蓄積状態に移行させた時点としたり、或いは撮影が非連携方式で行われる場合には、放射線画像撮影装置１の制御手段２２が、読み出された照射開始検出用の画像データｄやリークデータｄleakに基づいて放射線の照射開始を検出した時点に設定することが可能である。
【０１３１】
すなわち、一連の放射線画像撮影における各回の放射線画像撮影ごとの時間間隔ΔＴとして、各回の放射線画像撮影において電荷蓄積状態に移行させた時点同士の時間間隔ΔＴや、放射線の照射開始を検出した時点同士の時間間隔ΔＴをそれぞれ計測するように構成することが可能である。なお、非連携方式では、放射線の照射開始を検出するとすぐに電荷蓄積状態に移行させるため、それらの時点はほぼ同時になる。すなわち、非連携方式においても、電荷蓄積状態に移行させた時点同士の時間間隔ΔＴをそれぞれ計測するように構成することが可能である。
【０１３２】
また、本実施形態では、上記のように、撮影を連携方式と非連携方式のいずれの方式でも行うことができるように構成されており、いずれの方式においても本画像データＤの読み出し処理が必ず行われる。そのため、いずれの方式においても各回の放射線画像撮影が行われた時点を統一して把握できるようにするために、本実施形態では、図２３に示すように、各回の放射線画像撮影において本画像データＤの読み出し処理を開始した時点を、各回の放射線画像撮影が行われた時点として設定するようになっている。
【０１３３】
このように構成する場合、本画像データＤの読み出し処理を開始した時点は、正確には放射線画像撮影装置１に対して放射線が照射された時点とは異なる。しかし、上記のように放射線の照射が開始された後、電荷蓄積状態に移行して、所定時間後に本画像データＤの読み出し処理が開始される。そのため、ある回の撮影後に本画像データＤの読み出し処理が開始されてから、次の回の撮影後に本画像データＤの読み出し処理が開始されるまでの時間間隔ΔＴが、当該回の撮影時に放射線の照射が開始されてから当該次の回の撮影時に放射線の照射が開始されるまでの時間間隔と同じ時間間隔になる。
【０１３４】
そのため、本実施形態のように、各回の放射線画像撮影において本画像データＤの読み出し処理を開始した時点を各回の放射線画像撮影が行われた時点として設定しても、放射線画像撮影装置１で各静止画像を撮影した際の各撮影ごとの実際の時間間隔ΔＴを正確に計測することが可能となる。
【０１３５】
そこで、本実施形態では、放射線画像撮影装置１の制御手段２２は、各回の放射線画像撮影において本画像データＤの読み出し処理を開始した時点を起点とし、各回の撮影における当該時点同士の時間間隔ΔＴをそれぞれ計測するようになっている。
【０１３６】
具体的には、制御手段２２は、１回目の放射線画像撮影で本画像データＤの読み出し処理を開始する時点でカウンターのリセットし、その時点からの経過時間に対応するカウント数の計測を開始する。そして、制御手段２２は、例えば所定のクロック数ごとに１ずつカウンターのカウント数を増加させていく。
【０１３７】
そして、制御手段２２は、２回目の放射線画像撮影で本画像データＤの読み出し処理を開始する直前に、１回目と２回目の撮影間の時間間隔ΔＴ1,2としてカウンターのカウント数をメモリーに記憶させる。そして、カウンターをリセットし、２回目の撮影での本画像データＤの読み出し処理を開始する。そして、その時点からの経過時間に対応するカウント数の計測を再開する。
【０１３８】
本実施形態では、制御手段２２は、このようにして、本画像データＤの読み出し処理を開始する時点ごとに、前回（ｋ−１回目）の撮影から今回（ｋ回目）の撮影までの時間間隔ΔＴk-1,kをそれぞれメモリーに保存していくようになっている。
【０１３９】
このように構成すれば、放射線画像撮影装置１に新たに付加機能モジュール等を設けなくても、放射線画像撮影装置１で、呼吸するたびに膨張したり収縮したりする肺等のように動きのある被写体を、準動画として的確に撮影することが可能となる。また、放射線画像撮影装置１で準動画を構成する複数の静止画像を撮影した各撮影ごとの時間間隔ΔＴk-1,kを的確に計測することが可能となる。
【０１４０】
なお、上記のように、一連の放射線画像撮影における各回の放射線画像撮影ごとの時間間隔ΔＴとして、本画像データＤの読み出し処理を開始した時点同士の時間間隔ΔＴを計測する代わりに、本画像データＤの読み出し処理を終了した時点同士の時間間隔ΔＴを計測するように構成することも可能である。
【０１４１】
このように構成しても、上記と同様に、撮影を連携方式と非連携方式のいずれの方式でも行う場合でも必ず行われる本画像データＤの読み出し処理を基準として各回の放射線画像撮影ごとの時間間隔ΔＴを的確に計測することが可能となり、放射線画像撮影装置１で準動画を構成する複数の静止画像を撮影した各撮影ごとの時間間隔ΔＴを的確に計測することが可能となる。
【０１４２】
［プレビュー画像用のデータの送信等について］
なお、上記のようにして放射線画像撮影が行われても、被写体が的確に撮影されていない可能性がある。そして、被写体が的確に撮影されていないにもかかわらず、一連の複数の放射線画像撮影が続行されると、被写体である患者に対して照射された複数回の放射線の照射が無駄になる。そして、再撮影が必要になるため、患者に対して、再度、放射線を複数回照射して一連の撮影を行わなければならなくなり、患者の被曝線量が増大してしまう。
【０１４３】
また、放射線画像撮影装置１では、被写体が的確に撮影されていないにもかかわらず、一連の放射線画像撮影で本画像データＤの読み出し処理を繰り返す等して、無駄な処理が続行される状態になり、バッテリー２４（図７等参照）の電力が消耗してしまうといった問題が生じる。
【０１４４】
そこで、本実施形態では、図２３では図示を省略したが、放射線画像撮影装置１の制御手段２２は、上記の一連の複数の放射線画像撮影のうち、１回目の放射線画像撮影で読み出された本画像データＤに基づいてプレビュー画像用のデータを作成してコンソール５８に送信するようになっている。なお、２回目以降の撮影で読み出された本画像データＤについては、プレビュー画像用のデータの作成、送信は行わない。
【０１４５】
具体的には、放射線画像撮影装置１の制御手段２２は、一連の複数の放射線画像撮影のうち、１回目の放射線画像撮影で各放射線検出素子７から本画像データＤが読み出されると、それらの中から所定の割合でデータを間引いて、間引きデータＤｔを作成する。
【０１４６】
例えば図２４に示すように、検出部Ｐ（図４や図７参照）のｍ行、ｎ列目の放射線検出素子７（ｍ，ｎ）から読み出された本画像データＤをＤ（ｍ，ｎ）で表すとすると、制御手段２２は、１回目の撮影で読み出された本画像データＤ（ｍ，ｎ）の中から、例えば図２５に斜線を付して示すように、予め所定本数（図２５の場合は４本）の走査線５の各ラインＬ１〜Ｌｘごとに１本の割合で指定された走査線５に接続されている各放射線検出素子７から読み出された本画像データＤ（ｍ，ｎ）を抽出して、間引きデータＤｔとする。
【０１４７】
そして、制御手段２２は、抽出した間引きデータＤｔをプレビュー画像用のデータとしてコンソール５８に送信するようになっている。
【０１４８】
この場合、例えば全ての本画像データＤを読み出して記憶手段２３（図７等参照）に記憶させた後、間引きデータＤｔのみを記憶手段２３から読み出して送信するように構成してもよい。また、本画像データＤの読み出し処理において走査線５の各ラインＬ１〜Ｌｘごとに本画像データＤを読み出して記憶手段２３に記憶させる時点で、上記の指定された走査線５についてそれらの本画像データＤを記憶手段２３に記憶させると同時にコンソール５８に送信するように構成することも可能である。
【０１４９】
なお、この場合も、間引きデータＤｔをプレビュー画像用のデータとしてコンソール５８に送信する際も、間引きデータＤｔが圧縮されて送信されるが、この点については後で説明する。
【０１５０】
一方、本実施形態では、コンソール５８は、上記のように放射線画像撮影装置１からプレビュー画像用のデータが送信されてくると、それに基づいてプレビュー画像ｐ_preを生成し、生成したプレビュー画像ｐ_preを表示部５８ａ上に表示させるようになっている。
【０１５１】
そして、表示されたプレビュー画像ｐ_preを見た放射線技師が、画像中に被写体が適切に撮影されておらず再撮影が必要であると判断し、コンソール５８に対して当該プレビュー画像ｐ_preを否認する操作（すなわちプレビュー画像ｐ_preを承認しないことを表す操作）を行った場合には、コンソール５８は、当該放射線画像撮影装置１に対して、現在行っている上記の一連の複数の放射線画像撮影における一連の処理（図２３参照）を停止させるようになっている。
【０１５２】
放射線画像撮影装置１は、コンソール５８からの停止信号を受信すると、一連の処理を停止し、読み出された本画像データＤを破棄する等して、初期状態に戻る。すなわち、図２３における最も左側に記載されている各放射線検出素子７のリセット処理（連携方式の場合）或いは照射開始検出用の画像データｄやリークデータｄleakの読み出し処理（非連携方式の場合）を行う状態に戻るようになっている。
【０１５３】
このように構成することで、放射線画像撮影装置１では無駄な本画像データＤの読み出し処理が繰り返されてバッテリー２４が消耗したり、また、患者の被曝線量が増大して患者の負担が増大することを的確に防止することが可能となる。
【０１５４】
なお、本実施形態では、プレビュー画像ｐ_preを見た放射線技師によりプレビュー画像ｐ_preを承認する操作（具体的には画面上に表示された「ＯＫ」ボタンをクリックする等の操作）が行われた場合には、コンソール５８は、当該放射線画像撮影装置１に対しては特に何らの制御も行わない。そして、放射線画像撮影装置１は、現在行っている一連の複数の放射線画像撮影における一連の処理（図２３参照）を続行するようになっている。
【０１５５】
［一連の放射線画像撮影後の処理について］
上記のようにして、一連の複数の放射線画像撮影が行われると（図２３参照）、放射線画像撮影装置１の制御手段２２は、当該一連の複数の放射線画像撮影で得られた各回の撮影ごとの本画像データＤをコンソール５８に送信する。その際、本実施形態では、各回の撮影ごとに計測してメモリーに保存した時間間隔ΔＴを読み出して、各時間間隔ΔＴk-1,kの情報を対応する各本画像データＤに対応付けてコンソール５８に送信するようになっている。
【０１５６】
すなわち、ｋ回目の撮影で得られた本画像データＤに、ｋ−１回目の撮影からｋ回目の撮影までの時間間隔ΔＴk-1,kをそれぞれ対応付けてコンソール５８に送信するようになっている。
【０１５７】
時間間隔ΔＴを、対応する本画像データＤに対応付ける手法としては、例えば以下の２つの方法のいずれかを採用することが可能である。
【０１５８】
［対応付けの手法１］
例えば、本画像データＤ（実際には後述するように圧縮された本画像データＤ。以下同じ。）をコンソール５８に送信する際に、時間間隔ΔＴの情報を、対応する本画像データＤのヘッダ部分にそれぞれ書き込んでコンソール５８に送信するように構成することが可能である。
【０１５９】
下記の対応付けの手法２の場合も同様であるが、この場合、時間間隔ΔＴの情報としては、制御手段２２が計測した上記のカウンターのカウント数（すなわち上記の場合はクロック数）をそのままヘッダ部分に書き込むように構成することも可能であり、また、カウンターのカウント数を秒単位に変換し、変換した秒数をヘッダ部分に書き込むように構成することも可能である。
【０１６０】
［対応付けの手法２］
また、上記のように放射線画像撮影装置１で診断用の放射線画像ｐを撮影する場合、病変部等の重要な被写体部分は、通常、放射線画像ｐの中央部分等に撮影される。逆の言い方をすれば、放射線画像ｐの周縁部分には、通常、病変部等の重要な被写体部分は撮影されないことが多い。
【０１６１】
そこで、図２６に示すように、例えば、ｋ回目の放射線画像撮影で得られた各本画像データＤのうち、放射線画像ｐの周縁部分に対応する画素（すなわち放射線検出素子７）部分等の所定の画素部分の本画像データＤを削除し、その画素部分に時間間隔ΔＴk-1,kの情報を書き込んでコンソール５８に送信するように構成することが可能である。
【０１６２】
このように構成しても、ほとんどの場合、病変部が撮影されている画素部分の本画像データＤが削除されることはなく、病変部等の重要な被写体情報に悪影響を与えずに、コンソール５８に時間間隔ΔＴの情報を伝達することが可能となる。
【０１６３】
なお、上記の対応付けの手法１、２のように、時間間隔ΔＴの情報を、ヘッダ部分に書き込んだり、放射線画像ｐの周縁部分等の所定の画素部分にあたかも本画像データＤであるかの如く書き込んでコンソール５８に送信するように構成することで、従来の静止画像のみを撮影する放射線画像撮影装置１における制御構成や本画像データＤ等をコンソール５８に送信する際のデータ構成等に大きな変更を加えることなく、上記の時間間隔ΔＴの情報をコンソール５８に送信することが可能となる。
【０１６４】
［画像データＤの圧縮処理について］
ここで、放射線画像撮影装置１からコンソール５８に画像データＤを送信する際の画像データＤの圧縮処理について説明する。
【０１６５】
上記のように、放射線画像撮影装置１で診断用の放射線画像ｐを撮影する場合、本画像データＤを非可逆圧縮してコンソール５８に送信すると、放射線画像ｐに撮影されている病変部等の重要な被写体部分が完全に復元されず、診断に支障をきたす虞れがある。そこで、本実施形態では、放射線画像撮影装置１の制御手段２２は、本画像データＤを可逆圧縮（ロスレス圧縮等ともいう。）してコンソール５８に送信するようになっている。
【０１６６】
可逆圧縮の方法としては、例えば、ハフマン符号化やＬＺ７８、算術符号化等の方法を用いることが可能である。
【０１６７】
また、例えば、ある回の撮影で各放射線検出素子７（ｍ，ｎ）からそれぞれ読み出された本画像データＤ（ｍ，ｎ）（図２４参照）の分布を調べるために、各本画像データＤ（ｍ，ｎ）をヒストグラムに投票する。すると、各本画像データＤの出現頻度Ｆの分布は、例えば図２７や図２８に示すように、通常、撮影部位（すなわち被写体である患者の身体部位）ごとに分布の形状が異なる状態になる。
【０１６８】
そして、このような分布を有する本画像データＤ（ｍ，ｎ）を、例えばハフマン符号化により可逆圧縮する場合、それらの本画像データＤ（ｍ，ｎ）に対して、例えば図２９に示す正規分布状の分布を想定し、それに基づいて作成されたハフマン辞書（すなわちハフマンコードのテーブル。コード化辞書等ともいう。）を適用し、各本画像データＤに対してそれぞれハフマンコードＨｃを割り当てても、必ずしも圧縮率が高くならない。
【０１６９】
すなわち、読み出された各本画像データＤ（ｍ，ｎ）の中で比較的長いハフマンコードＨｃが割り当てられる本画像データＤの割合が多くなるため、本画像データＤを圧縮せずにそのまま送信する場合と比較して、送信するデータ量がさほど少なくならない場合がある。そのため、本画像データＤに対してハフマンコードＨｃを割り当ててハフマン符号化を行う場合、本画像データＤを圧縮せずにそのまま送信する場合に比べて、データの送信時間が必ずしも短縮されない場合がある。
【０１７０】
一方、本願発明者らの研究で、本画像データＤ（ｍ，ｎ）同士の差分ΔＤを算出し、それらの差分ΔＤに対してハフマン符号化により圧縮処理を行うことで、データの圧縮率を高め、データの送信時間を短縮することができることが分かった。以下、そのような手法による具体的な圧縮処理について、２つの手法を挙げて説明する。
【０１７１】
［圧縮手法１］
まず、１つの目の圧縮手法である圧縮手法１について説明する。なお、この圧縮手法１は、圧縮処理として、本願出願人が先に提出した国際公開第２０１１／０１０４８０号パンフレットや特開２０１１−８７７２７号公報等に詳述されている圧縮手法を用いる場合であり、詳しくはそれらの公報等を参照されたい。以下、簡単に説明する。
【０１７２】
圧縮手法１では、まず、図２４に示したようにある回の撮影で各放射線検出素子７（ｍ，ｎ）からそれぞれ読み出された本画像データＤ（ｍ，ｎ）について、信号線６の延在方向（図２４では縦方向。以下、信号線方向という。）や走査線５の延在方向（図２４では横方向。以下、走査線方向という。）に互いに隣接する各放射線検出素子７（ｍ，ｎ）からそれぞれ読み出された本画像データＤ（ｍ，ｎ）同士の差分ΔＤを算出する。
【０１７３】
すなわち、信号線方向の差分ΔＤを算出するように構成する場合、
ΔＤ（ｍ，ｎ）＝Ｄ（ｍ，ｎ）−Ｄ（ｍ−１，ｎ）    …（１）
により差分ΔＤを算出し、また、走査線方向の差分ΔＤを算出するように構成する場合には、
ΔＤ（ｍ，ｎ）＝Ｄ（ｍ，ｎ）−Ｄ（ｍ，ｎ−１）    …（２）
により差分ΔＤを算出する。
【０１７４】
このようにして算出した、信号線方向や走査線方向に隣接する各本画像データＤ（ｍ，ｎ）同士の各差分ΔＤをヒストグラムに投票すると、図３０に示すように、各差分ΔＤの出現頻度Ｆの分布は、図２７や図２８に示した本画像データＤの場合と異なり、撮影部位によらず、ΔＤ＝０を中心とした比較的狭い範囲の正規分布状の分布になる。
【０１７５】
そこで、予め例えば図３０に示した正規分布状の分布に基づいてハフマン辞書を作成しておく。そして、各撮影で得られた本画像データＤに対して上記（１）式或いは（２）式に従って各差分ΔＤを算出する。そして、算出した各差分ΔＤに対してハフマン辞書を適用してそれぞれハフマンコードＨｃを割り当てる。
【０１７６】
すると、上記のように差分ΔＤの出現頻度Ｆの分布は図３０に示したような分布になり、短いハフマンコードＨｃが割り当てられる差分ΔＤの出現頻度Ｆが大きく、長いハフマンコードＨｃが割り当てられる差分ΔＤの出現頻度Ｆが小さい状態になるため、データの圧縮率が高くなる。
【０１７７】
そのため、本画像データＤを圧縮せずにそのまま送信する場合に比べて、圧縮された各差分ΔＤすなわち各ハフマンコードＨｃを送信することで、データの送信時間を的確に短縮することが可能となる。
【０１７８】
なお、上記（１）式や（２）式の場合、差分ΔＤ（１，ｎ）や差分ΔＤ（ｍ，１）を算出する場合、図２４を見れば分かるように、本画像データＤとしてＤ（０，ｎ）やＤ（ｍ，０）の値が存在しないため、上記の演算を行うことができない。そこで、本実施形態では、Ｄ（０，ｎ）やＤ（ｍ，０）の値として、予め所定の値がそれぞれ割り当てられるようになっている。
【０１７９】
また、上記のように、１回目の撮影で読み出された本画像データＤの中から例えば図２５に示したように所定の割合でデータを間引いて作成した間引きデータＤｔをプレビュー画像用のデータとしてコンソール５８に送信する場合にも、この圧縮手法１を用いてプレビュー画像用のデータを圧縮して送信することが可能である。
【０１８０】
すなわち、例えば図２５に示したようにして抽出されたプレビュー画像用のデータを仮想的にまとめると、図３１に示す状態になる。そして、この状態で信号線方向（図中の縦方向）或いは走査線方向（図中の横方向）に隣接するプレビュー画像用のデータ同士の差分ΔＤを算出する。
【０１８１】
そして、算出した各差分ΔＤに対して、上記と同様のハフマン辞書、或いはプレビュー画像用のデータ用に作成したハフマン辞書を適用して、各差分ΔＤにハフマンコードＨｃを割り当てる。このようにしてプレビュー画像用のデータを圧縮して送信すれば、上記と同様にプレビュー画像用のデータの送信時間を的確に短縮することが可能となる。
【０１８２】
［圧縮手法２］
上記の圧縮手法１では、１回の撮影で読み出された１フレーム分（すなわち各放射線検出素子７（ｍ，ｎ）が配置された検出部Ｐ（図４や図７参照）の１面分）の本画像データＤの中で、信号線方向や走査線方向に隣接する各放射線検出素子７（ｍ，ｎ）の本画像データＤ（ｍ，ｎ）同士の差分ΔＤを算出した。
【０１８３】
一方、個々の放射線検出素子７ごとに、一連の複数の放射線画像撮影でそれぞれ読み出された本画像データＤ同士の差分ΔＤk-1,kを算出し、それらの差分ΔＤk-1,kに対してハフマン辞書を適用するように構成することも可能である。
【０１８４】
すなわち、図３２に示すように、例えば放射線検出素子７（ｍ＊，ｎ＊）について見た場合、ｋ−１回目の撮影で読み出された本画像データＤk-1（ｍ＊，ｎ＊）とｋ回目の撮影で読み出された本画像データＤk（ｍ＊，ｎ＊）との差分ΔＤk-1,k（ｍ＊，ｎ＊）が、
ΔＤk-1,k（ｍ＊，ｎ＊）＝Ｄk（ｍ＊，ｎ＊）−Ｄk-1（ｍ＊，ｎ＊）…（３）
により算出される。
【０１８５】
そして、この（３）式の演算を、各放射線検出素子７（ｍ，ｎ）ごとに、各回の撮影で読み出された本画像データＤ（ｍ，ｎ）とその前の回の撮影で読み出された本画像データＤ（ｍ，ｎ）との間で行う。
【０１８６】
このようにして算出される各差分ΔＤk-1,kをヒストグラムに投票すると、各差分ΔＤk-1,kの出現頻度Ｆの分布は、図３０に示した上記の差分ΔＤの分布と同様の分布になり、撮影部位によらず、ΔＤk-1,k＝０を中心とした比較的狭い範囲の正規分布状の分布になる。そのため、このような分布に基づいて予めハフマン辞書を作成しておき、それを算出した各差分ΔＤk-1,kに適用するように構成することで、データの圧縮率を高め、データの送信時間を短縮することが可能となる。
【０１８７】
なお、この場合、１回目の撮影で読み出された本画像データＤ1（ｍ，ｎ）についてはその前の回の撮影というものが想定できないため、差分ΔＤ0,1（ｍ，ｎ）を算出することができない。そのため、この圧縮手法２を採用する場合には、少なくとも１回目の撮影で読み出された本画像データＤ1（ｍ，ｎ）については、例えば上記の圧縮手法１を用いて信号線方向等に隣接する放射線検出素子７の本画像データＤ同士の差分ΔＤを圧縮してコンソール５８に送信するように構成される。
【０１８８】
また、上記の［対応付けの手法１］を採用して、時間間隔ΔＴ（図２３参照）の情報を、対応するデータのヘッダ部分にそれぞれ書き込んでコンソール５８に送信するように構成する場合、上記の圧縮手法１や圧縮手法２で圧縮された差分ΔＤや差分ΔＤk-1,kのヘッダ部分に、それぞれ時間間隔ΔＴが書き込まれて送信される。
【０１８９】
さらに、上記の［対応付けの手法２］を採用する場合、本画像データＤの所定の画素部分に書き込まれた時間間隔ΔＴの情報（図２６参照）についても、上記の圧縮手法１により隣接する画素（放射線検出素子７）の本画像データＤとの差分ΔＤを算出したり、上記の圧縮手法２により前回の撮影の本画像データＤ中に書き込んだ前回の時間間隔ΔＴとの差分ΔＤk-1,kを算出したりしてそれらを圧縮して送信するように構成することが可能である。
【０１９０】
また、本画像データＤの所定の画素部分に書き込んだ時間間隔ΔＴの情報については、差分ΔＤや差分ΔＤk-1,kを算出せず、圧縮せずにコンソール５８に送信するように構成してもよい。
【０１９１】
［各回の撮影ごとにデータを送信する場合について］
一方、本実施形態では、前述したように、一連の複数の放射線画像撮影が終了した後で、各回の撮影で読み出された各本画像データＤについて、上記のように可逆圧縮して放射線画像撮影装置１からコンソール５８に送信される。
【０１９２】
しかし、一連の放射線画像撮影で行われる撮影の回数（すなわち放射線画像ｐの枚数）や検出部Ｐに配置される各放射線検出素子７の数（すなわち画素数）等と、記憶手段２３（図７等参照）の記憶容量との関係で、一連の放射線画像撮影で読み出された本画像データＤを全て記憶手段２３に保存できない場合もあり得る。
【０１９３】
そこで、そのような場合には、一連の放射線画像撮影において、各撮影で本画像データＤが読み出されるごとに、上記の圧縮手法１や圧縮手法２により差分ΔＤ、ΔＤk-1,kの圧縮処理を行って、圧縮された差分ΔＤ、ΔＤk-1,kをコンソール５８に送信するように構成することが可能である。
【０１９４】
この場合、後の回の撮影で読み出された本画像データＤが、記憶手段２３中の先の回の撮影で読み出された本画像データＤ上に上書き保存される。このように構成すれば、記憶手段２３は、数フレーム分の本画像データＤを保存できる程度の記憶容量があれば十分となる。
【０１９５】
［オフセットデータの読み出し処理について］
また、本実施形態では、一連の放射線画像撮影が終了すると、その後で、オフセットデータＯの読み出し処理が行われるようになっている。そして、本実施形態では、オフセットデータＯの読み出し処理は、一連の放射線画像撮影における１回分の処理シーケンスと同じ処理シーケンスにより行われるようになっている。
【０１９６】
具体的には、本実施形態では、前述したように、連携方式（図１５等参照）或いは非連携方式（図１７等に示した検出方法１や図２２等に示した検出方法２参照）で各放射線画像撮影がそれぞれ行われる。
【０１９７】
そして、例えば各放射線画像撮影を連携方式で行った場合、図３３に示すように、最後の回の本画像データＤの読み出し処理が終了した後、オフセットデータＯの読み出し処理が行われる。そして、オフセットデータＯの読み出し処理では、放射線画像撮影前の各放射線検出素子７のリセット処理から電荷蓄積状態を経て本画像データＤの読み出し処理が行われるまでの一連の処理シーケンス（図１５等参照）と同じ処理シーケンスを繰り返してオフセットデータＯの読み出し処理が行われるようになっている。
【０１９８】
なお、以下の非連携方式の場合も同様であるが、この場合、電荷蓄積状態では、放射線画像撮影装置１に対して放射線は照射されない。
【０１９９】
また、図示を省略するが、例えば各放射線画像撮影を非連携方式で行った場合も同様に、最後の回の本画像データＤの読み出し処理が終了した後、オフセットデータＯの読み出し処理が行われる。
【０２００】
そして、オフセットデータＯの読み出し処理では、放射線画像撮影前の照射開始検出用の画像データｄの読み出し処理（図１７等参照）や、リークデータｄleakの読み出し処理および各放射線検出素子７のリセット処理（図２２等参照）が行われた後、電荷蓄積状態を経て本画像データＤの読み出し処理が行われるまでの処理シーケンスと同じ処理シーケンスを繰り返して、オフセットデータＯの読み出し処理が行われるようになっている。
【０２０１】
そして、放射線画像撮影装置１の制御手段２２は、オフセットデータＯの読み出し処理で各放射線検出素子７ごとに読み出された各オフセットデータＯに対して、例えば上記の圧縮手法１により信号線方向等に隣接する放射線検出素子７のオフセットデータＯ同士の差分ΔＯを算出し、各差分ΔＯをハフマン符号化等により可逆圧縮して、コンソール５８に送信するようになっている。
【０２０２】
［コンソールでの処理について］
次に、コンソール５８における処理について説明する。
【０２０３】
本実施形態では、コンソール５８は、前述したように、放射線画像撮影装置１からプレビュー画像用のデータとしての間引きデータＤｔ（図２５や図３１参照）に関する圧縮された各差分（すなわちハフマンコードＨｃ）が送信されてくると、それを伸長し、図３１に示したような各間引きデータＤｔを復元する。
【０２０４】
そして、復元した間引きデータＤｔに基づいてプレビュー画像ｐ_preを生成して、生成したプレビュー画像ｐ_preを表示部５８ａ（図１１や図１２参照）上に表示するようになっている。なお、表示部５８ａ上に表示されたプレビュー画像ｐ_preに基づいて放射線技師がそれを承認する操作や否認する操作を行うこと、および操作がなされた際のコンソール５８等における処理については前述した通りである。
【０２０５】
一方、コンソール５８は、放射線画像撮影装置１から、圧縮された差分ΔＤや圧縮された差分ΔＤk-1,k（すなわちハフマンコードＨｃ）が送信されてくると、それらの圧縮された各差分ΔＤ等を伸長して、元の各差分ΔＤ等を復元する。なお、そのため、コンソール５８には、放射線画像撮影装置１が有するハフマン辞書と同じハフマン辞書が備えられている。
【０２０６】
そして、コンソール５８は、伸長して復元された元の差分ΔＤ等と、既に復元した本画像データＤとを加算して、元の本画像データＤを復元していくようになっている。
【０２０７】
具体的には、例えば放射線画像撮影装置１の制御手段２２が上記の圧縮手法１により信号線方向の差分ΔＤを算出して圧縮した場合、コンソール５８は、まず、予め所定値が割り当てられたＤ（０，ｎ）と、伸長した差分ΔＤ（１，ｎ）とを、上記（１）式の逆演算である下記（４）式に従って加算して、元の本画像データＤ（１，ｎ）を復元する。
Ｄ（１，ｎ）＝Ｄ（０，ｎ）＋ΔＤ（１，ｎ）    …（４）
【０２０８】
続いて、差分ΔＤ（２，ｎ）を伸長すると、上記のように復元した元の本画像データＤ（１，ｎ）と伸長した差分ΔＤ（２，ｎ）とを、上記と同様にして加算して、元の本画像データＤ（２，ｎ）を復元する。
【０２０９】
このようにして、差分ΔＤ（ｍ，ｎ）を伸長するごとに、復元した元の本画像データＤ（ｍ−１，ｎ）と伸長した差分ΔＤ（ｍ，ｎ）とを、上記（１）式の逆演算である下記（５）式に従って加算して、元の本画像データＤ（ｍ，ｎ）を復元していくように構成される。
Ｄ（ｍ，ｎ）＝Ｄ（ｍ−１，ｎ）＋ΔＤ（ｍ，ｎ）    …（５）
【０２１０】
また、例えば放射線画像撮影装置１の制御手段２２が上記の圧縮手法１により走査線方向の差分ΔＤを算出して圧縮した場合にも同様にして、コンソール５８は、予め所定値が割り当てられたＤ（ｍ，０）や、上記（２）式の逆演算である下記（６）式に従って、既に復元した元の本画像データＤ（ｍ，ｎ−１）（或いはＤ（ｍ，０））と伸長した差分ΔＤ（ｍ，ｎ）とを次々と加算して、元の本画像データＤ（ｍ，ｎ）を復元していくように構成される。
Ｄ（ｍ，ｎ）＝Ｄ（ｍ，ｎ−１）＋ΔＤ（ｍ，ｎ）    …（６）
【０２１１】
また、例えば放射線画像撮影装置１の制御手段２２が上記の圧縮手法２により差分ΔＤk-1,kを算出して圧縮した場合には、コンソール５８は、１回目の撮影で得られた各本画像データＤ（ｍ，ｎ）については、上記のようにして元の本画像データＤ（ｍ，ｎ）を復元する。
【０２１２】
そして、コンソール５８は、２回目以降のｋ回目の撮影で得られた本画像データＤk（ｍ，ｎ）については、各放射線検出素子７（ｍ，ｎ）ごとに、伸長した差分ΔＤk-1,kと、既に復元したｋ−１回目の撮影で得られた本画像データＤk-1（ｍ，ｎ）とを、上記（３）式の逆演算である下記（７）式に従って加算して、元の本画像データＤk（ｍ，ｎ）を復元していくように構成される。
Ｄk（ｍ，ｎ）＝Ｄk-1（ｍ，ｎ）＋ΔＤk-1,k（ｍ，ｎ）    …（７）
【０２１３】
また、コンソール５８は、放射線画像撮影装置１から送信されてきたオフセットデータＯに関する圧縮されたデータ（すなわち上記の各差分ΔＯ）についても同様に伸長処理および復元処理を行って、各放射線検出素子７ごとに元のオフセットデータＯを復元するようになっている。
【０２１４】
そして、コンソール５８は、復元した各回の各本画像データＤについて、本画像データＤからオフセットデータＯを減算していわゆる真の画像データＤ＊をそれぞれ算出し、算出した真の画像データＤ＊に対してゲイン補正やオフセット補正、欠陥画素補正、撮影部位に応じた諧調処理等の処理を行って、一連の放射線画像撮影の各回の撮影ごとに、最終的な放射線画像ｐを生成するようになっている。
【０２１５】
一方、本実施形態では、コンソール５８は、以上のようにして、一連の放射線画像撮影の各回の撮影ごとに放射線画像ｐを生成すると、生成した各放射線画像ｐに対して、その基となった各本画像データＤに対応付けられた時間間隔ΔＴの情報をそれぞれ対応付けるようになっている。
【０２１６】
すなわち、コンソール５８は、一連の複数の放射線画像撮影でｋ回目に撮影された放射線画像ｐに対して、その基となったｋ回目の本画像データＤに対応付けられていた時間間隔ΔＴk-1,k（図２３や図２６参照）を対応付けるようになっている。
【０２１７】
その際、例えば、上記の［対応付けの手法１］の場合と同様に、各放射線画像ｐのヘッダ部分にそれぞれ対応する時間間隔ΔＴの情報を書き込むように構成してもよい。また、例えば、上記の［対応付けの手法２］の場合と同様に、各放射線画像ｐの周縁部分等の所定の画素部分に時間間隔ΔＴの情報を書き込むように構成することも可能である。
【０２１８】
いずれにせよ、具体的な対応付けの仕方については、一連の撮影で得られた各放射線画像ｐすなわち各静止画像を準動画的に再生する画像表示装置（或いはコンソール５８）側が要求する方式に従って対応付けられる。
【０２１９】
そして、このようにして各静止画像に時間間隔ΔＴを対応付けることで、画像表示装置は、各静止画像に対応付けられた時間間隔ΔＴに従って各静止画像を再生することで、膨張したり収縮したりする肺等の臓器の動きを、放射線画像撮影装置１が撮影した時間間隔ΔＴで再生することが可能となり、一連の放射線画像撮影で得られた各静止画像を的確に準動画的に表示することが可能となる。
【０２２０】
以上のように、本実施形態に係る放射線画像撮影システム５０によれば、放射線画像撮影装置１の制御手段２２で、一連の複数の放射線画像撮影が行われる際の各回の放射線画像撮影ごとの時間間隔ΔＴをそれぞれ計測し、計測した各時間間隔ΔＴの情報を、対応する各本画像データＤ或いはその差分ΔＤの圧縮データに対応付けてコンソール５８に送信する。また、コンソール５８では、本画像データＤに基づいて生成した各放射線画像ｐに、各本画像データＤに対応付けられた各時間間隔ΔＴの情報をそれぞれ対応付ける。
【０２２１】
そのため、従来の放射線画像撮影装置のように、動画を撮影するための付加機能モジュールを筐体２内に設けなくても、制御手段２２で各撮影の時間間隔ΔＴを計測するだけで、一連の撮影で得られた各放射線画像ｐすなわち各静止画像を準動画的に表示する際の表示の時間間隔ΔＴの情報を的確に取得することが可能となる。
【０２２２】
そのため、従来の静止画像のみを撮影する放射線画像撮影装置１を用いて、動きのある被写体等を的確に準動画として撮影することが可能となる。また、放射線発生装置５５（図１１や図１２参照）側に、時間間隔ΔＴを計測するような改造を施す必要がなくなり、放射線画像撮影装置１側で時間間隔ΔＴを計測することが可能となる。
【０２２３】
また、コンソール５８で、各回の放射線画像撮影で得られた本画像データＤ等に基づいて生成した各放射線画像ｐすなわち各静止画像に、各放射線画像ｐの基となった本画像データＤに対応付けられていた時間間隔ΔＴの情報をそれぞれ対応付ける。
【０２２４】
そのため、一連の撮影で得られた各放射線画像ｐすなわち各静止画像を準動画的に再生する画像表示装置（或いはコンソール５８）は、各静止画像に対応付けられた時間間隔ΔＴに従って各静止画像を再生することで、膨張したり収縮したりする肺等の臓器の動きを、放射線画像撮影装置１が撮影した時間間隔ΔＴで再生することが可能となる。
【０２２５】
そのため、コンソール５８で各静止画像に時間間隔ΔＴの情報をそれぞれ対応付けることで、画像表示装置に、一連の放射線画像撮影で得られた各静止画像を的確に準動画的に表示させることが可能となる。
【０２２６】
なお、準動画を撮影するために放射線発生装置５５の放射線源５２（図１１や図１２参照）から放射線を照射させる際に、放射線技師が毎回、曝射スイッチ５６を操作して放射線を照射させてもよく、また、放射線発生装置５５が自動的に所定のタイミングで放射線源５２から放射線を照射させるように構成することも可能である。
【０２２７】
上記の実施形態に係る放射線画像撮影装置１では、これらのいずれの場合においても、放射線画像撮影装置１で、一連の放射線画像撮影における各回の放射線画像撮影ごとの時間間隔ΔＴが的確に計測される。
【符号の説明】
【０２２８】
１  放射線画像撮影装置
５  走査線
６  信号線
７、（ｍ，ｎ）  放射線検出素子
８  ＴＦＴ（スイッチ手段）
１５  走査駆動手段
１７  読み出し回路
２２  制御手段
３９  コネクター（通信手段）
４１  アンテナ装置（通信手段）
５０  放射線画像撮影システム
５２  放射線源
５５  放射線発生装置
５８  コンソール
５８ａ  表示部
Ｄ  本画像データ（画像データ）
ｄ  照射開始検出用の画像データ
ｄleak  リークデータ
ｄleak_th  閾値
Ｄｔ  間引きデータ
ｄth  閾値
Ｐ  検出部
ｐ  放射線画像
ｐ_pre  プレビュー画像
ｑ  電荷
ｒ  小領域
ΔＤ、ΔＤk-1,k  差分
ΔＴ  時間間隔
【図１】
2013000372.tif 000003
【図２】
2013000372.tif 000004
【図３】
2013000372.tif 000005
【図４】
2013000372.tif 000006
【図５】
2013000372.tif 000007
【図６】
2013000372.tif 000008
【図７】
2013000372.tif 000009
【図８】
2013000372.tif 000010
【図９】
2013000372.tif 000011
【図１０】
2013000372.tif 000012
【図１１】
2013000372.tif 000013
【図１２】
2013000372.tif 000014
【図１３】
2013000372.tif 000015
【図１４】
2013000372.tif 000016
【図１５】
2013000372.tif 000017
【図１６】
2013000372.tif 000018
【図１７】
2013000372.tif 000019
【図１８】
2013000372.tif 000020
【図１９】
2013000372.tif 000021
【図２０】
2013000372.tif 000022
【図２１】
2013000372.tif 000023
【図２２】
2013000372.tif 000024
【図２３】
2013000372.tif 000025
【図２４】
2013000372.tif 000026
【図２５】
2013000372.tif 000027
【図２６】
2013000372.tif 000028
【図２７】
2013000372.tif 000029
【図２８】
2013000372.tif 000030
【図２９】
2013000372.tif 000031
【図３０】
2013000372.tif 000032
【図３１】
2013000372.tif 000033
【図３２】
2013000372.tif 000034
【図３３】
2013000372.tif 000035